(57)【要約】【課題】ＣＱＩ測定用のパイロットチャネルと、データとを異なるＴＴＩで送信することができる基地局装置、及び移動局装置を提供する。【解決手段】移動局装置に、上りリンクのＣＱＩを測定するための上りＣＱＩ測定用パイロットチャネルと、上りリンクのＬ１／Ｌ２制御チャネルとを時間多重する第１の時間多重手段と、共有データチャネルと、該共有データチャネル復調用参照信号とを時間多重する第２の時間多重手段と、前記上りＣＱＩ測定用パイロットチャネルと前記上りＬ１／Ｌ２制御チャネルとが時間多重されたＣＱＩ測定用参照信号と、前記共有データチャネルと前記共有データチャネル復調用参照信号とが時間多重されたデータ送信用信号とを、異なるＴＴＩに時間多重するＴＴＩ多重手段とを備えることにより達成される。【選択図】図５
2008092375.tif 000002
【特許請求の範囲】
【請求項１】
上りリンクのＣＱＩを測定するための上りＣＱＩ測定用パイロットチャネルと、上りリンクのＬ１／Ｌ２制御チャネルとを時間多重する第１の時間多重手段；
共有データチャネルと、該共有データチャネル復調用参照信号とを時間多重する第２の時間多重手段；
前記上りＣＱＩ測定用パイロットチャネルと前記上りＬ１／Ｌ２制御チャネルとが時間多重されたＣＱＩ測定用参照信号と、前記共有データチャネルと前記共有データチャネル復調用参照信号とが時間多重されたデータ送信用信号とを、異なるＴＴＩに時間多重するＴＴＩ多重手段；
を備えることを特徴とする移動局装置。
【請求項２】
請求項１に記載の移動局装置において：
各ＴＴＩは、複数のロングブロック及びショートブロックを有し、
前記第１の時間多重手段は、前記上りＣＱＩ測定用パイロットチャネルをショートブロックに多重し、前記上りＬ１／Ｌ２制御チャネルをロングブロックに多重することを特徴とする移動局装置。
【請求項３】
請求項１又は２に記載の移動局装置において：
前記第１の時間多重手段は、スケジューリングリクエストをロングブロックに多重することを特徴とする移動局装置。
【請求項４】
請求項１ないし３のいずれか１項に記載の移動局装置において：
前記第１の時間多重手段は、上りＬ１／Ｌ２制御チャネル復調用参照信号をロングブロックに多重することを特徴とする移動局装置。
【請求項５】
上りリンクのＣＱＩを測定するための上りＣＱＩ測定用パイロットチャネルと上りリンクのＬ１／Ｌ２制御チャネルとが時間多重されたＣＱＩ測定用参照信号と、共有データチャネルと該共有データチャネル復調用参照信号とが時間多重されたデータ送信用信号とが、異なるＴＴＩに時間多重され、移動局装置から送信され、
受信信号から前記ＣＱＩ測定用参照信号と前記データ送信用信号とを分離する分離手段；
分離された前記ＣＱＩ測定用参照信号に基づいて、上りリンクＣＱＩの測定を行う上りリンクＣＱＩ測定手段；
測定された上りリンクＣＱＩに基づいて、上りリンクのデータチャネルのリンクアダプテーションを行い、該リンクアダプテーションに必要な制御情報を生成するスケジューラ；
前記制御情報を送信する制御情報送信手段；
を備えることを特徴とする基地局装置。
【請求項６】
請求項５に記載の基地局装置において：
複数のＴＴＩにより送信区間が構成され、
前記スケジューラは、送信区間を構成する最初のＴＴＩに対応する第１の制御情報と、該最初のＴＴＩに後続するＴＴＩに対応し、前記第１の制御情報に対する差分情報により構成される第２の制御情報を生成することを特徴とする基地局装置。
【請求項７】
請求項５又は６に記載の基地局装置において：
前記スケジューラは、各移動局に対して、前記ＣＱＩ測定用参照信号の送信タイミングを異なるように割り当てることを特徴とする基地局装置。
【請求項８】
請求項７に記載の基地局装置において：
前記ＣＱＩ測定用参照信号の送信タイミングを、ランダムアクセスチャネルに対する応答又はランダムアクセスチャネルの制御メッセージに対する応答で通知することを特徴とする基地局装置。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に移動局装置及び基地局装置に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の送信機の構成を比較的簡素にできる。
【非特許文献１】3GPP TR 25.814 V7.0.0
【発明の開示】
【発明が解決しようとする課題】
【０００５】
しかしながら、上述した背景技術には以下の問題がある。
【０００６】
上りリンク伝送では、図１に示すように、各サブフレーム当たり２個のショートブロック（ＳＢ：  ｓｈｏｒｔ  ｂｌｏｃｋ）と６個のロングブロック（ＬＢ：  ｌｏｎｇ  ｂｌｏｃｋ）を用いることが検討されている。ロングブロックは、主にデータ及び制御情報の伝送に使用される。２つのショートブロックは、ＣＱＩ測定及び／又は復調のためのリファレンス信号の伝送に使用される。
【０００７】
１ＴＴＩは、２サブフレームで構成されるため、１ＴＴＩは、図２に示すように、４個のショートブロックと１２個のロングブロックにより構成される。
【０００８】
この場合、例えば、図３に示すように、基地局装置により割り当てられた割り当て帯域において、移動局装置がロングブロックでデータを送信し、ショートブロックでデータ復調用のパイロット信号を送信すると、ＣＱＩ測定用のリファレンス信号を送信できない。
【０００９】
また、例えば、図４に示すように、基地局装置により割り当てられた割り当て帯域において、移動局装置はロングブロックでデータを送信し、ショートブロックでＣＱＩ測定用のリファレンス信号を送信することもできるが、データ復調用のパイロット信号を送信できない。
【００１０】
そこで、本発明は、上述した問題を解決するためになされたものであり、ＣＱＩ測定用のパイロットチャネルと、データとを異なるＴＴＩで送信することができる移動局装置及び基地局装置を提供することにある。
【課題を解決するための手段】
【００１１】
上記課題を解決するため、本発明の移動局装置は、
上りリンクのＣＱＩを測定するための上りＣＱＩ測定用パイロットチャネルと、上りリンクのＬ１／Ｌ２制御チャネルとを時間多重する第１の時間多重手段；
共有データチャネルと、該共有データチャネル復調用参照信号とを時間多重する第２の時間多重手段；
前記上りＣＱＩ測定用パイロットチャネルと前記上りＬ１／Ｌ２制御チャネルとが時間多重されたＣＱＩ測定用参照信号と、前記共有データチャネルと前記共有データチャネル復調用参照信号とが時間多重されたデータ送信用信号とを、異なるＴＴＩに時間多重するＴＴＩ多重手段；
を備えることを特徴の１つとする。
【００１２】
このように構成することにより、データチャネルの伝送を行うＴＴＩとは異なるＴＴＩを用いて、上りリンクのＣＱＩを測定するための上りＣＱＩ測定用のパイロットチャネル、下りリンクのＣＱＩ及び必要に応じてスケジューリングリクエスト情報を上りリンクで送信することができる。
【００１３】
本発明の基地局装置は、
上りリンクのＣＱＩを測定するための上りＣＱＩ測定用パイロットチャネルと上りリンクのＬ１／Ｌ２制御チャネルとが時間多重されたＣＱＩ測定用参照信号と、共有データチャネルと該共有データチャネル復調用参照信号とが時間多重されたデータ送信用ＴＴＩとが、異なるＴＴＩに時間多重され、移動局装置から送信され、
受信信号から前記ＣＱＩ測定用ＴＴＩと前記データ送信用ＴＴＩとを分離するＴＴＩ分離手段；
分離された前記ＣＱＩ測定用ＴＴＩに基づいて、上りリンクＣＱＩの測定を行う上りリンクＣＱＩ測定手段；
測定された上りリンクＣＱＩに基づいて、上りリンクのデータチャネルのリンクアダプテーションを行い、該リンクアダプテーションに必要な制御情報を生成するスケジューラ；
前記制御情報を送信する制御情報送信手段；
を備えることを特徴の１つとする。
【００１４】
このように構成することにより、ＣＱＩ測定用ＴＴＩでユーザが送信する上りＣＱＩ測定用のパイロットチャネルを用いて、上りリンクの各リソースブロックにおけるＣＱＩを測定でき、その測定結果に基づき、上りリンクデータチャネルのリンクアダプテーションを行い、該リンクアダプテーションに必要な制御情報を下りリンクで送信することができる。
【発明の効果】
【００１５】
本発明の実施例によれば、ＣＱＩ測定用のパイロットチャネルと、データとを異なるＴＴＩで送信することができる移動局装置及び基地局装置を実現できる。
【発明を実施するための最良の形態】
【００１６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１７】
本発明の実施例に係る基地局装置及び移動局装置が適用される無線通信システムについて説明する。
【００１８】
無線通信システムには、無線アクセス方式として、下りリンクについてはＯＦＤＭＡ、上りリンクについてはＳＣ−ＦＤＭＡが適用される。上述したように、ＯＦＤＭＡは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００１９】
次に、本発明の実施例に係る移動局装置１００について、図５を参照して説明する。
【００２０】
移動局装置１００は、基地局装置２００からの送信信号が入力される下りＬ１／Ｌ２制御チャネル受信部１０２と、ＣＱＩ測定用ＴＴＩ生成部１０４と、データ送信用ＴＴＩ生成部１１０と、ＴＴＩ多重部１１６とを備える。
【００２１】
ＣＱＩ測定用ＴＴＩ生成部１０４は、チャネル符号化・拡散・データ変調部１０６と、ロングブロック（ＬＢ）、ショートブロック（ＳＢ）時間多重部１０８とを備える。データ送信用ＴＴＩ生成部１１０は、チャネル符号化・拡散・データ変調部１１２と、ロングブロック（ＬＢ）、ショートブロック（ＳＢ）時間多重部１１４とを備える。
【００２２】
チャネル符号化・拡散・データ変調部１０６には、上りＬ１／Ｌ２制御チャネルが入力される。上りＬ１／Ｌ２制御チャネルには、下りリンクのＣＱＩ、必要に応じて後述するスケジューリングリクエストが含まれる。
【００２３】
チャネル符号化・拡散・データ変調部１０６は、入力された上りＬ１／Ｌ２制御チャネルに対し、チャネル符号化処理、拡散処理、データ変調処理を行い、ロングブロック、ショートブロック時間多重部１０８に入力する。
【００２４】
ロングブロック、ショートブロック時間多重部１０８には、上りＬ１／Ｌ２制御チャネル復調用参照信号（ｒｅｆｅｒｅｎｃｅ  ｓｉｇｎａｌ）及び／又は上りリンクのＣＱＩ測定用参照信号が入力される。ロングブロック、ショートブロック時間多重部１０８は、入力された信号のうち、上りＬ１／Ｌ２制御チャネル及び上りＬ１／Ｌ２制御チャネル復調用参照信号をロングブロックに時間多重を行い、上りリンクのＣＱＩ測定用参照信号をショートブロックに時間多重を行うことにより、ＣＱＩ測定用信号を生成し、ＴＴＩ多重部１１６に入力する。
【００２５】
図６にはＣＱＩ測定用信号が送信されるＣＱＩ測定用ＴＴＩの一例が示される。図６によれば、下りリンクのＣＱＩ及びチャネル測定用参照信号にはロングブロックが割り当てられ、さらに同じ周波数が割り当てられる。この場合、必要に応じてスケジューリングリクエスト情報も下りリンクのＣＱＩと同様のロングブロックに割り当てられる。ここで、スケジューリングリクエスト情報とは、基地局装置２００が移動局装置１００と同期をとるために、移動局装置１００から基地局装置２００に送信する情報である。移動局装置１００からデータが送信されている場合には、移動局装置１００はそのデータにスケジューリングリクエストを含めることにより、基地局装置２００は送信されたデータに基づいて同期を取ることができる。しかし、移動局装置１００からデータが送信されていない区間においては、基地局装置２００は、自局に接続する複数のユーザ間で同期を取ることができない。この場合、移動局装置１００は、上りデータの送信に先立って、そのデータに対するスケジューリングリクエストを送信するが、同期がはずれると、そのスケジューリングリクエストを送信する場合に再同期が必要となる。
【００２６】
また、上りリンクのＣＱＩ測定用参照信号は、ショートブロックに割り当てられるが、周波数ホッピングを適用するようにしてもよい。すなわち、ショートブロックを送信する周波数キャリアを切替える。また、２アンテナでの送信を考慮して割り当てるようにしてもよい。
【００２７】
その結果、ＣＱＩ測定用ＴＴＩのショートブロックを用いて、上りＣＱＩ測定用参照信号（上りリンクのＣＱＩ測定用のパイロットチャネル）が送信され、ＣＱＩ測定用ＴＴＩのロングブロックを用いて、下りリンクのＣＱＩ及び必要に応じてスケジューリングリクエスト情報が送信され、さらに、ＣＱＩ測定用ＴＴＩのロングブロックを用いて、下りリンクのＣＱＩ及び必要に応じてスケジューリングリクエスト情報を復調するためのチャネル測定用参照用信号、すなわちチャネル推定に用いるパイロットチャネルが送信される。
【００２８】
一方、チャネル符号化・拡散・データ変調部１１２には、共有データチャネルと、基地局装置２００から送信され、下りＬ１／Ｌ２制御チャネル受信部１０２において受信された下りＬ１／Ｌ２制御チャネルが入力される。
【００２９】
チャネル符号化・拡散・データ変調部１１２は、入力された共有データチャネルに対し、入力された下りＬ１／Ｌ２制御チャネルに基づいて、チャネル符号化処理、拡散処理、データ変調処理を行い、ロングブロック、ショートブロック時間多重部１１４に入力する。
【００３０】
例えば、チャネル符号化・拡散・データ変調部１１２は、基地局装置２００から通知された下りリンクの制御シグナリング、すなわち後述するプライマリ下りＬ１／Ｌ２制御チャネル又はセカンダリ下りＬ１／Ｌ２制御チャネルの指示に応じて、送信するデータチャネルのリンクアダプテーションを行う。
【００３１】
ここで、チャネル符号化・拡散・データ変調部１１２は、下りリンク制御シグナリングの指示と異なる、データ変調・チャネル符号化率を選択することも可能である。ただし、その場合はデータチャネルに付随する制御チャネルを用いてその情報を基地局装置２００に通知する。例えば、基地局装置２００により広い帯域を割り当てられたが、送信するデータが少ない場合、また、基地局装置２００から所定の回数のＮＡＣＫが受信された場合にチャネル符号化・拡散・データ変調部１１２は、下りリンク制御シグナリングの指示と異なる、データ変調・チャネル符号化率を選択する。
【００３２】
ロングブロック、ショートブロック時間多重部１１４には、共有データチャネル復調用参照信号が入力される。ロングブロック、ショートブロック時間多重部１１４は、入力された信号のうち、共有データチャネルをロングブロックに、共有データチャネル復調用参照信号をショートブロックに時間多重を行うことによりデータ通信用信号を生成し、ＴＴＩ多重部１１６に入力する。
【００３３】
ＴＴＩ多重部１１６は、ＣＱＩ測定用ＴＴＩ生成部１０４により入力されたＣＱＩ測定用信号と、データ送信用ＴＴＩ生成部１１０により入力されたデータ送信用信号とを時間多重して送信する。例えば、図７に示すように、複数のＴＴＩにより構成される送信区間において、ＣＱＩ測定用信号が送信されるＣＱＩ測定用ＴＴＩ３０２を１回送信する。すなわち、ＣＱＩ測定用ＴＴＩ３０２はユーザ毎に一定送信間隔で送信する。
【００３４】
このように、データチャネル伝送、すなわちデータ送信用信号の送信が行われるデータ送信用ＴＴＩ３０４とは異なるＴＴＩ、すなわちＣＱＩ測定用ＴＴＩを用いて、上りリンクのＣＱＩ測定用のパイロットチャネル、下りリンクのＣＱＩ及び必要に応じてスケジューリングリクエスト情報を上りリンクで送信する。
【００３５】
また、ＴＴＩ多重部１１６は、基地局装置２００により割り当てられた送信タイミングに基づいて、ＣＱＩ測定用ＴＴＩ３０２をユーザ毎に異なるタイミングで送信する。すなわち、基地局装置２００は、図８に示すように、ＣＱＩ測定用ＴＴＩ３０２の送信タイミングをユーザ毎に異なるように割り当てる。基地局装置２００は、ＣＱＩ測定用ＴＴＩ３０２の送信タイミングをランダムアクセスチャネルに対する返信チャネル又はランダムアクセスチャネルの制御メッセージに対する返信チャネルで通知する。図８には、各ユーザ、ここでは２ユーザについてのＣＱＩ測定用ＴＴＩ３０２及びデータ送信用ＴＴＩ３０４の送信タイミングが示される。
【００３６】
このようにすることにより、図９に示すように、例えば、ショートブロックにおいて、ユーザ１の上りリンクのＣＱＩ測定用参照信号及びユーザ２の共有データチャネル復調用参照信号に対して、帯域全体に分散してサブキャリアが割り当てられる分散送信型のＦＤＭＡ（Ｆｒｅｑｕｅｎｃｙ  Ｄｉｖｉｓｉｏｎ  Ｍｕｌｔｉｐｌｅ  Ａｃｃｅｓｓ）を適用することができる。図９には、ユーザ１のＣＱＩ測定用ＴＴＩとユーザ２のデータ送信用ＴＴＩとの多重の一例を示す。
【００３７】
次に、本発明の実施例に係る基地局装置２００について、図１０を参照して説明する。
【００３８】
基地局装置２００は、受信信号が入力されるＴＴＩ分離部２０２と、ＣＱＩ測定用ＴＴＩ受信部２０４と、データ送信用ＴＴＩ受信部２１４と、スケジューラ２２２と、後述するプライマリ下りＬ１／Ｌ２制御チャネル（以下、プライマリＬ１／Ｌ２制御チャネルと呼ぶ）が入力されるチャネル符号化・拡散・データ変調部２２４と、後述するセカンダリ下りＬ１／Ｌ２制御チャネル（以下、セカンダリＬ１／Ｌ２制御チャネルと呼ぶ）が入力されるチャネル符号化・拡散・データ変調部２２６と、ＴＴＩ多重部２２８とを備える。
【００３９】
ＣＱＩ測定用ＴＴＩ受信部２０４は、ロングブロック、ショートブロック時間分離部２０６と、チャネル推定部２０８と、上りＬ１／Ｌ２制御チャネル復調部２１０と、上りリンクＣＱＩ測定部２１２とを備える。
【００４０】
データ送信用ＴＴＩ受信部２１４は、ロングブロック、ショートブロック時間分離部２１６と、チャネル推定部２１８と、共有データチャネル復調部２２０とを備える。
【００４１】
移動局装置１００からの送信信号は、基地局装置２００に受信され、ＴＴＩ分離部２０２に入力される。ＴＴＩ分離部２０２では、受信信号をＣＱＩ測定用ＴＴＩとデータ送信用ＴＴＩに分離する。
【００４２】
ＴＴＩ分離部２０２において分離されたＣＱＩ測定用ＴＴＩは、ロングブロック  ショートブロック時間分離部２０６に入力される。ロングブロック  ショートブロック時間分離部２０６は、ＣＱＩ測定用ＴＴＩから、上りＬ１／Ｌ２制御チャネル復調用参照信号、上りＬ１／Ｌ２制御チャネル及びＣＱＩ測定用参照信号を分離し、それぞれ、チャネル推定部２０８、上りＬ１／Ｌ２制御チャネル復調部２１０および上りリンクＣＱＩ測定部２１２に入力する。
【００４３】
チャネル推定部２０８は、上りＬ１／Ｌ２制御チャネル復調用参照信号に基づいてチャネル推定を行い、チャネル推定の結果を上りＬ１／Ｌ２制御チャネル復調部２１０に入力する。
【００４４】
上りＬ１／Ｌ２制御チャネル復調部２１０は、チャネル推定部２０８により入力されたチャネル推定の結果に基づいて、上りＬ１／Ｌ２制御チャネルの復調を行う。また、上りＬ１／Ｌ２制御チャネル復調部２１０は、下りリンクのＣＱＩ及び／又はスケジューリングリクエストをスケジューラ２２２に入力する。
【００４５】
上りリンクＣＱＩ測定部２１２は、上りリンクのＣＱＩ測定用参照信号に基づいて、上りリンクのＣＱＩの測定を行い、上りリンクのＣＱＩの測定値をスケジューラ２２２に入力する。
【００４６】
一方、ＴＴＩ分離部２０２において分離されたデータ送信用ＴＴＩは、ロングブロック  ショートブロック時間分離部２１６に入力される。ロングブロック  ショートブロック時間分離部２１６は、データ送信用ＴＴＩから、共有データチャネル復調用参照信号及び共有データチャネルを分離し、それぞれ、チャネル推定部２１８及び共有データチャネル復調部２２０に入力する。
【００４７】
チャネル推定部２１８は、共有データチャネル復調用参照信号に基づいてチャネル推定を行い、チャネル推定の結果を共有データチャネル復調部２２０に入力する。
【００４８】
共有データチャネル復調部２２０は、チャネル推定部２１８から入力されたチャネル推定の結果に基づいて、共有データチャネルの復調を行い、受信データを出力する。
【００４９】
スケジューラ２２２は、上りリンクのＣＱＩに基づいて、上りリンクのデータチャネルのリンクアダプテーションを行い、該リンクアダプテーションに必要な制御情報を生成する。ここで、リンクアダプテーションとは、移動局装置１００が使用する周波数帯域、帯域幅を決定する周波数スケジューリング、送信電力制御及びデータ変調・チャネル符号化率の制御を行うことである。
【００５０】
スケジューラ２２２は、上りリンクのＣＱＩ測定結果が最初に反映される下りリンクで送信する制御シグナリングとして、プライマリＬ１／Ｌ２制御チャネルを生成する。ここで、プライマリＬ１／Ｌ２制御チャネルには、移動局装置１００が使用する周波数帯域、帯域幅、送信電力制御及びデータ変調・チャネル符号化率の情報が含まれる。
【００５１】
また、スケジューラ２２２は、次に、上りリンクのＣＱＩ測定を行うまでの時間区間で、制御シグナリングを行う場合には、プライマリＬ１／Ｌ２制御チャネルよりも情報量の少ないセカンダリＬ１／Ｌ２制御チャネルを生成する。例えば、スケジューラ２２２は、セカンダリＬ１／Ｌ２制御チャネルとして、プライマリＬ１／Ｌ２制御チャネルとの差分を示す差分情報を生成する。例えば、スケジューラ２２２は、セカンダリＬ１／Ｌ２制御チャネルとして、オン／オフを示す１ビットの情報を生成する。この場合、"１"である場合には、同様の制御により、移動局装置１００から共有データチャネルが送信されることを示し、"０"である場合には、移動局装置１００から共有データチャネルが送信されないことを示す。
【００５２】
また、スケジューラ２２２は、入力された下りリンクのＣＱＩに基づいて、プライマリＬ１／Ｌ２制御チャネルおよびセカンダリＬ１／Ｌ２制御チャネルの送信電力制御を行う。また、スケジューラ２２２は、スケジューリングリクエストに応じて、移動局装置１００との間で同期をとる。
【００５３】
プライマリ下りＬ１／Ｌ２制御チャネルはチャネル符号化・拡散・データ変調部２２４において、チャネル符号化処理、拡散処理、データ変調処理が行われＴＴＩ多重部２２８に入力される。
【００５４】
一方、セカンダリ下りＬ１／Ｌ２制御チャネルはチャネル符号化・拡散・データ変調部２２６において、チャネル符号化処理、拡散処理、データ変調処理が行われＴＴＩ多重部２２８に入力される。
【００５５】
ＴＴＩ多重部２２８では、プライマリ下りＬ１／Ｌ２制御チャネルと、セカンダリ下りＬ１／Ｌ２制御チャネルとを時間多重し、送信信号を生成し、送信する。
【００５６】
ＴＴＩ毎にＬ１／Ｌ２制御情報を送信する場合、従来の基地局装置は、図１１に示すように、新規のＬ１／Ｌ２制御チャネル４０２を、ＴＴＩ毎に送信する。移動局装置は、基地局装置から送信されたＬ１／Ｌ２制御チャネルに基づいて、共有データチャネル４０４を送信する。図１１において、４０２は基地局装置２００が送信するＬ１／Ｌ２制御チャネルを示し、４０４は移動局装置１００が送信する共有データチャネルを示す。
【００５７】
一方、本実施例に係る基地局装置２００では、図１２に示すように、最初のＴＴＩだけ新規のＬ１／Ｌ２制御チャネル、すなわちプライマリＬ１／Ｌ２制御チャネル４０２が送信され、後続するＴＴＩでは最初のＴＴＩに対するプライマリＬ１／Ｌ２制御チャネルとの差分情報を含むセカンダリＬ１／Ｌ２制御チャネル４０６が送信される。移動局装置１００は、基地局装置２００から送信されたＬ１／Ｌ２制御チャネルに基づいて、最初のＴＴＩでは、プライマリＬ１／Ｌ２制御チャネルに基づいて、共有データチャネルを送信し、後続するＴＴＩでは、セカンダリＬ１／Ｌ２制御チャネルに基づいて、共有データチャネルを送信する。図１２において、４０２は基地局装置２００が送信するＬ１／Ｌ２制御情報（プライマリＬ１／Ｌ２制御チャネル）を示し、４０４は移動局装置１００が送信する共有データチャネルを示し、４０６は基地局装置２００がセカンダリＬ１／Ｌ２制御チャネルを示す。
【００５８】
連続するＴＴＩにおいては、割り当てられるリソースブロックの位置やＭＣＳ（変調方式と符号化率）は比較的相関が高いため、差分情報を送信するようにしても問題は生じない、このようにすることにより、Ｌ１／Ｌ２制御チャネルのビット数を削減することができる。
【００５９】
次に、本実施例に係る基地局装置及び移動局装置が適用される無線通信システムの動作について、図１３を参照して説明する。
【００６０】
移動局装置１００は、ランダムアクセスチャネル（ＲＡＣＨ）を送信する（ステップＳ１３０２）。
【００６１】
基地局装置２００は、移動局装置１００から送信されたＲＡＣＨの対する応答（ＲＡＣＨ  レスポンス）を、移動局装置１００に送信する（ステップＳ１３０４）。
【００６２】
移動局装置１００は、基地局装置２００に対して制御メッセージを送信する（ステップＳ１３０６）。
【００６３】
基地局装置２００は、移動局装置１００から送信された制御メッセージに対する応答（制御メッセージ  レスポンス）を、移動局装置１００に送信する（ステップＳ１３０８）。
【００６４】
基地局装置２００は、ＲＡＣＨ  レスポンス又は制御メッセージに対するレスポンスにより、ＣＱＩ測定用ＴＴＩの送信タイミングを通知する。
【００６５】
移動局装置１００は、下りリンクの共通パイロット信号を用いて、下りリンクのＣＱＩを測定し、該下りリンクのＣＱＩとともに、上りリンクのＣＱＩ測定用参照信号を、上述したＣＱＩ測定用ＴＴＩで送信する（ステップＳ１３１０）。
【００６６】
基地局装置２００は、移動局装置１００から送信された上りリンクのＣＱＩ測定用参照用信号に基づいて、上りリンクＣＱＩ測定部２１２において上りリンクのＣＱＩを測定する（ステップＳ１３１２）。
【００６７】
次に、基地局装置２００は、スケジューラ２２２において、リンクアダプテーションを行い、該リンクアダプテーションに必要な制御情報を生成する（ステップＳ１３１４）。リンクアダプテーションでは、例えばリソースの割り当て、ＭＣＳの決定が行われる。
【００６８】
スケジューラ２２２は、ＣＱＩ測定結果が最初に反映される下りリンクでの制御シグナリングとして、プライマリＬ１／Ｌ２制御チャネルを生成する。プライマリＬ１／Ｌ２制御チャネルはチャネル符号化・拡散・データ変調部２２４において、チャネル符号化処理、拡散処理、データ変調処理が行われＴＴＩ多重部２２８に入力され、送信される（ステップＳ１３１６）。
【００６９】
プライマリＬ１／Ｌ２制御チャネルは、移動局装置１００の下りＬ１／Ｌ２制御チャネル受信部１０２において受信され、チャネル符号化・拡散・データ変調部１１２は、プライマリＬ１／Ｌ２制御チャネルの制御情報、すなわち割り当てられた無線リソース、決定されたＭＣＳに基づいて、共有データチャネルのチャネル符号化処理、拡散処理、データ変調処理を行い、送信する。
【００７０】
基地局装置２００は、データ送信用ＴＴＩに含まれる共有データチャネル復調用参照信号に基づいて、チャネル推定を行い、共有データチャネル復調部２２０はチャネル推定の結果に基づいて、共有データチャネルの復調を行い、受信データを出力する。また、スケジューラ２２２は、チャネル推定の結果に基づいて、セカンダリＬ１／Ｌ２制御チャネルとして、プライマリＬ１／Ｌ２制御チャネルとの差分を示す差分情報を生成する。セカンダリ下りＬ１／Ｌ２制御チャネルはチャネル符号化・拡散・データ変調部２２６において、チャネル符号化処理、拡散処理、データ変調処理が行われＴＴＩ多重部２２８に入力され、送信される（ステップＳ１３２０）。
【００７１】
セカンダリＬ１／Ｌ２制御チャネルは、移動局装置１００の下りＬ１／Ｌ２制御チャネル受信部１０２において受信され、チャネル符号化・拡散・データ変調部１１２は、セカンダリＬ１／Ｌ２制御チャネルの制御情報、すなわちプライマリＬ１／Ｌ２制御チャネルとの差分情報に基づいて、共有データチャネルのチャネル符号化処理、拡散処理、データ変調処理が行われ、送信される（ステップＳ１３２２）。
【００７２】
移動局装置１００と基地局装置２００との同期がとれているため、上りリンクにおけるＣＱＩ測定用ＴＴＩ及びデータ送信用ＴＴＩの送信周期と、下りリンクにおけるプライマリＬ１／Ｌ２制御チャネル及びセカンダリＬ１／Ｌ２制御チャネルの送信周期とは一致する。
【００７３】
具体的に図１４を参照して説明する。図１４には、移動局装置１００が送信するＣＱＩ測定用ＴＴＩ３０２及びデータ送信用ＴＴＩ３０４、基地局装置２００が送信するプライマリＬ１／Ｌ２制御チャネル４０２及びセカンダリＬ１／Ｌ２制御チャネル４０６、基地局装置２００が受信する共有データチャネル４０４が示される。
【００７４】
移動局装置１００からＣＱＩ測定用信号がＣＱＩ測定用ＴＴＩ３０２により送信され、基地局装置２００は該ＣＱＩ測定用信号に含まれる上りリンクのＣＱＩ測定用参照信号に基づいて、上りリンクのＣＱＩを測定する。基地局装置２００は測定された上りリンクのＣＱＩに基づいてリンクアダプテーションを行い、プライマリＬ１／Ｌ２制御チャネル４０２を生成し、移動局装置１００に送信する。
【００７５】
移動局装置１００は、プライマリＬ１／Ｌ２制御チャネル４０２を受信し、該プライマリＬ１／Ｌ２制御チャネル４０２の指示に応じてリンクアダプテーションを行い、共有データチャネル３０４を送信する。
【００７６】
基地局装置２００は、移動局装置１００から送信された共有データチャネル３０４を受信する。基地局装置２００は、共有データチャネルに含まれる共有データチャネル復調用参照信号を用いてチャネル推定を行い、該チャネル推定値に基づいて、共有データチャネルの復調を行い、受信信号を出力する。また、基地局装置２００は、共有データチャネル復調用参照信号に基づいて、リンクアダプテーションを行い、セカンダリＬ１／Ｌ２制御チャネル４０６を生成し、移動局装置１００に送信する。移動局装置１００は、プライマリＬ１／Ｌ２制御チャネル４０２を受信し、該プライマリＬ１／Ｌ２制御チャネル４０２の指示に応じてリンクアダプテーションを行い、共有データチャネル３０４を送信する。
【００７７】
上述した実施例によれば、ＣＱＩ測定用ＴＴＩとデータ送信用ＴＴＩとを分けることにより、無線リソースの無駄を低減することができる。
【００７８】
また、基地局装置が移動局装置に送信する制御情報をプライマリＬ１／Ｌ２制御チャネル及びセカンダリＬ１／Ｌ２制御チャネルに分けて送信するようにすることにより、制御信号のオーバーヘッドを低減できる。
【図面の簡単な説明】
【００７９】
【図１】サブフレームの構成を示す説明図である。
【図２】ＴＴＩの構成を示す説明図である。
【図３】データとデータ復調用のパイロット信号の送信例を示す説明図である。
【図４】データとＣＱＩ測定用パイロット信号の送信例を示す説明図である。
【図５】本発明の一実施例にかかる移動局装置を示す部分ブロック図である。
【図６】ＣＱＩ測定用ＴＴＩの詳細を示す説明図である。
【図７】移動局装置における送信区間を示す説明図である。
【図８】基地局装置における、各移動局装置に対する送信区間の割り当て例を示す説明図である。
【図９】ユーザ１のＣＱＩ測定用ＴＴＩとユーザ２のデータ送信用ＴＴＩとの多重の一例を示す説明図である。
【図１０】本発明の一実施例にかかる基地局装置を示す部分ブロック図である。
【図１１】Ｌ１／Ｌ２制御情報の送信例を示す説明図である。
【図１２】本発明の一実施例にかかるＬ１／Ｌ２制御情報の送信例を示す説明図である。
【図１３】本発明の一実施例にかかる無線通信システムの動作を示すフロー図である。
【図１４】本発明の一実施例にかかるＬ１／Ｌ２制御情報の送信例を示す説明図である。
【符号の説明】
【００８０】
１００  移動局装置
１０２  下りＬ１／Ｌ２制御チャネル受信部
１０４  ＣＱＩ測定用ＴＴＩ生成部
１０６、１１２  チャネル符号化・拡散・データ変調部
１０８、１１４  ロングブロック、ショートブロック時間多重部
１１０  データ送信用ＴＴＩ生成部
１１６、２２８  ＴＴＩ多重部
２００  基地局装置
２０２  ＴＴＩ分離部
２０４  ＣＱＩ測定用ＴＴＩ受信部
２０６  ロングブロック、ショートブロック時間分離部
２０８  チャネル推定部
２１０  上りＬ１／Ｌ２制御チャネル復調部
２１２  上りリンクＣＱＩ測定部
２１４  データ送信用ＴＴＩ受信部
２１６  ロングブロック、ショートブロック時間分離部
２１８  チャネル推定部
２２０  共有データチャネル復調部
２２２  スケジューラ
２２４、２２６  チャネル符号化・拡散・データ変調部
３０２  ＣＱＩ測定用ＴＴＩ
３０４  データ送信用ＴＴＩ
４０２  プライマリＬ１／Ｌ２制御チャネル
４０４  データ
４０６  セカンダリＬ１／Ｌ２制御チャネル
【図１】
2008092375.tif 000003
【図２】
2008092375.tif 000004
【図３】
2008092375.tif 000005
【図４】
2008092375.tif 000006
【図５】
2008092375.tif 000007
【図６】
2008092375.tif 000008
【図７】
2008092375.tif 000009
【図８】
2008092375.tif 000010
【図９】
2008092375.tif 000011
【図１０】
2008092375.tif 000012
【図１１】
2008092375.tif 000013
【図１２】
2008092375.tif 000014
【図１３】
2008092375.tif 000015
【図１４】
2008092375.tif 000016